(57)【要約】【課題】耐震性に優れると共に、構造躯体に対する外壁パネルの取付けを容易にすることができる外壁パネルの支持構造を提供する。【解決手段】外壁パネルとしてのロックウールパネル１８の支持構造は、建築用のロックウールパネル１８が外壁パネル側金具１５と構造躯体側金具１２を介して構造躯体としてのＨ型鋼１１に支持されて構成されている。ロックウールパネル１８の上部は、外壁パネル側金具１５と構造躯体側金具１２を介してＨ型鋼１１に固着されている。ロックウールパネル１８の下部における外壁パネル側金具１５は構造躯体側金具１２に対して緩着されている。外壁パネル側金具１５としての下部中間支持材３０の水平片３０ａには緩着用ボルト３５の軸部３５ａが挿通される挿通孔３６が形成されると共に、構造躯体側金具１２には緩着用ボルト３５の軸部３５ａが遊嵌されるルーズ孔１３が形成されている。【選択図】図１
2008266892.tif 000002
【特許請求の範囲】
【請求項１】
建築用の外壁パネルが外壁パネル側金具と構造躯体側金具を介して構造躯体に支持される外壁パネルの支持構造において、
前記外壁パネルの上部が外壁パネル側金具と構造躯体側金具を介して構造躯体に固着されると共に、外壁パネルの下部における外壁パネル側金具が構造躯体側金具に対して緩着されていることを特徴とする外壁パネルの支持構造。
【請求項２】
前記外壁パネルは、金属板の間に無機質繊維が充填されたロックウールパネルであることを特徴とする請求項１に記載の外壁パネルの支持構造。
【請求項３】
前記外壁パネル側金具には緩着用ボルトの軸部が挿通される挿通孔が形成されると共に、構造躯体側金具には緩着用ボルトの軸部が遊嵌されるルーズ孔が形成され、緩着用ボルトが外壁パネル側金具の挿通孔から構造躯体側金具のルーズ孔に挿通されて緩着されるように構成されていることを特徴とする請求項１又は請求項２に記載の外壁パネルの支持構造。
【請求項４】
前記外壁パネルの上部は、構造躯体側金具に設けられる長孔と外壁パネル側金具に設けられる長孔とを利用し、ボルト及びナットで位置調節可能に構造躯体に締付けられて固着されていることを特徴とする請求項１から請求項３のいずれか一項に記載の外壁パネルの支持構造。
【請求項５】
前記構造躯体側金具には複数のルーズ孔が設けられ、隣接する外壁パネルの下部における各外壁パネル側金具が構造躯体側金具に対して緩着されるように構成されていることを特徴とする請求項１から請求項４のいずれか一項に記載の外壁パネルの支持構造。
【発明の詳細な説明】
【技術分野】
【０００１】
本発明は、例えばロックウールパネルよりなる外壁パネルを建築物の構造躯体に支持するための外壁パネルの支持構造に関するものである。
【背景技術】
【０００２】
この種の外壁パネルの支持構造として具体的には、次のような構造が知られている（例えば、特許文献１を参照）。すなわち、係る外壁パネルの支持構造では、ファスナーを用いて外壁パネルを構造躯体に接合する外壁パネル接合構造であって、ファスナーに設けられたファスナー仮固定手段と、構造躯体側に設けられたコンクリート止め兼用Ｌ字型部材とを備えている。前記ファスナー仮固定手段は、外壁パネルの出入りを調整可能に保持する出入調整ボルトを有する保持部を備えている。そして、ファスナーを下側外壁パネルに先付けし、下側外壁パネルを所定位置に設置した後、ファスナー仮固定手段によりファスナーをアングルに仮固定する。その後、レベル調整ボルトによりレベルを調整し、出入調整ボルトにより出入りを調整した後、ファスナー仮固定手段を取り外す。これと同様にして、上側外壁パネルをセットする。
【特許文献１】特開２００６−９７２７６号公報（第２〜４頁及び図１）
【発明の開示】
【発明が解決しようとする課題】
【０００３】
前記特許文献１に記載されている外壁パネルの支持構造においては、外壁パネルの上部及び下部がファスナー及びＬ字型部材を介して構造躯体に固着されている。つまり、外壁パネル全体が構造躯体に対して所定位置に固定されている。このため、地震などによって構造躯体に応力が作用した場合には、その応力がそのまま外壁パネルに作用することから、外壁パネルが変形して損傷を受けたり、外壁パネル同士が接触して破損したりする場合があった。さらに、外壁パネルを構造躯体に支持させるときには、外壁パネルの上部、下部などの全体に渡ってファスナー及びＬ字型部材を介し、ボルトをナットに螺合させて構造躯体に連結する必要があった。このため、外壁パネルを構造躯体に支持させる作業が非常に面倒であった。
【０００４】
本発明は、このような従来技術に存在する問題点に着目してなされたものであり、その目的とするところは、耐震性に優れると共に、構造躯体に対する外壁パネルの取付けを容易にすることができる外壁パネルの支持構造を提供することにある。
【課題を解決するための手段】
【０００５】
上記の目的を達成するために、請求項１に係る外壁パネルの支持構造は、建築用の外壁パネルが外壁パネル側金具と構造躯体側金具を介して構造躯体に支持される外壁パネルの支持構造において、前記外壁パネルの上部が外壁パネル側金具と構造躯体側金具を介して構造躯体に固着されると共に、外壁パネルの下部における外壁パネル側金具が構造躯体側金具に対して緩着されていることを特徴とするものである。
【０００６】
請求項２に係る外壁パネルの支持構造は、請求項１に係る発明において、前記外壁パネルは、金属板の間に無機質繊維が充填されたロックウールパネルであることを特徴とするものである。
【０００７】
請求項３に係る外壁パネルの支持構造は、請求項１又は請求項２に係る発明において、前記外壁パネル側金具には緩着用ボルトの軸部が挿通される挿通孔が形成されると共に、構造躯体側金具には緩着用ボルトの軸部が遊嵌されるルーズ孔が形成され、緩着用ボルトが外壁パネル側金具の挿通孔から構造躯体側金具のルーズ孔に挿通されて緩着されるように構成されていることを特徴とするものである。
【０００８】
請求項４に係る外壁パネルの支持構造は、請求項１から請求項３のいずれか一項に係る発明において、前記外壁パネルの上部は、構造躯体側金具に設けられる長孔と外壁パネル側金具に設けられる長孔とを利用し、ボルト及びナットで位置調節可能に構造躯体に締付けられて固着されていることを特徴とするものである。
【０００９】
請求項５に係る外壁パネルの支持構造は、請求項１から請求項４のいずれか一項に係る発明において、前記構造躯体側金具には複数のルーズ孔が設けられ、隣接する外壁パネルの下部における各外壁パネル側金具が構造躯体側金具に対して緩着されるように構成されていることを特徴とするものである。
【発明の効果】
【００１０】
本発明によれば、次のような効果を発揮することができる。
【００１１】
請求項１に係る外壁パネルの支持構造では、外壁パネルの上部が外壁パネル側金具と構造躯体側金具を介して構造躯体に固着されると共に、外壁パネルの下部における外壁パネル側金具が構造躯体側金具に対して緩着されている。すなわち、外壁パネルはその上部で構造躯体に固定され、その下部で緩く取着されている。このため、構造躯体に応力が加わったとき、その応力により外壁パネルの下部が構造躯体に対して相対移動でき、前記応力が外壁パネルの下部に作用することが回避される。さらに、外壁パネルの下部における外壁パネル側金具が構造躯体側金具に対して緩着されているため、外壁パネル側金具を構造躯体側金具に固定する作業が不要となる。従って、請求項１に係る発明の外壁パネルの支持構造では、耐震性に優れると共に、構造躯体に対する外壁パネルの取付けを容易にすることができる。
【００１２】
請求項２に係る外壁パネルの支持構造では、外壁パネルは金属板の間に無機質繊維が充填されたロックウールパネルであることから、軽量化を図ることができると共に、請求項１に係る発明の効果を向上させることができる。
【００１３】
請求項３に係る外壁パネルの支持構造では、外壁パネル側金具には緩着用ボルトの軸部が挿通される挿通孔が形成されると共に、構造躯体側金具には緩着用ボルトの軸部が遊嵌されるルーズ孔が形成され、緩着用ボルトが外壁パネル側金具の挿通孔から構造躯体側金具のルーズ孔に挿通されて緩着されるように構成されている。このため、請求項１又は請求項２に係る発明の効果に加えて、外壁パネルの支持構造を簡易にできると共に、外壁パネルの取付作業を容易に行うことができる。
【００１４】
請求項４に係る外壁パネルの支持構造では、外壁パネルの上部は、構造躯体側金具に設けられる長孔と外壁パネル側金具に設けられる長孔とを利用し、ボルト及びナットで位置調節可能に構造躯体に締付けられて固着されている。このため、請求項１から請求項３のいずれかに係る発明の効果に加え、外壁パネルの上部を構造躯体に対して所定位置に配置して容易に固着することができる。
【００１５】
請求項５に係る外壁パネルの支持構造では、構造躯体側金具には複数のルーズ孔が設けられ、隣接する外壁パネルの下部における各外壁パネル側金具が構造躯体側金具に対して緩着されるように構成されている。このため、請求項１から請求項４のいずれかに係る発明の効果に加えて、構成を簡易にできると共に、構造躯体に対する外壁パネルの取付作業を速やかに行うことができる。
【発明を実施するための最良の形態】
【００１６】
以下、本発明の最良と思われる実施形態を図面に基づいて詳細に説明する。
【００１７】
図１及び図２に示すように、建築物の構造躯体（梁など）を構成するＨ型鋼（横Ｈ型に配置）１１の上面には、断面コの字状をなす構造躯体側金具１２が溶接固定されている。該構造躯体側金具１２の上面には左右一対の円孔状をなすルーズ孔１３が貫通形成されている。構造躯体側金具１２の前面には垂直方向に長い２つ一組の長孔１４が左右に一対透設されている。外壁パネル側金具１５を構成するパネル上部支持材１６及びパネル下部支持材１７は断面横Ｌ字状に形成され、それらの前部片１６ａ、１７ａにはそれぞれ外壁パネルとしてのロックウールパネル１８の上部及び下部がリベット等の手段により取付けられるようになっている。
【００１８】
ロックウールパネル１８は、金属板の間にロックウール等の無機質繊維が充填された構造のものである。ロックウールは、岩石又は製鉄等の副産物である鉱さいを主原料とし、これをコークスと共に約１５００℃の高温で溶融し、遠心力等で吹き飛ばして繊維化されたものである。このロックウールは、ケイ酸、アルミナ、酸化カルシウム等の無機成分を含有し、不燃性で、軽量であり、断熱性や吸音性の高い材料である。
【００１９】
図１及び図４に示すように、パネル上部支持材１６の側部片１６ｂには、垂直方向に長い長孔１９が透設されている。このパネル上部支持材１６と前記構造躯体側金具１２との間には、外壁パネル側金具１５としての断面Ｌ字状をなす上部中間支持材２０が配置される。上部中間支持材２０は、パネル上部支持材１６の側部片１６ｂに対向する短片２０ａと、構造躯体側金具１２に対向する長片２０ｂとより構成されている。係る短片２０ａには水平方向に長い長孔２１が透設され、ボルト２２を該短片２０ａの長孔２１とパネル上部支持材１６の側部片１６ｂの長孔１９に挿通してワッシャー２３を介しナット２４で締付けるようになっている。この場合、パネル上部支持材１６の側部片１６ｂの長孔１９は垂直方向に延び、上部中間支持材２０の短片２０ａの長孔２１は水平方向に延びているため、上下左右の位置調整を行うことができ、位置調整後の状態で締付けることができる。
【００２０】
上部中間支持材２０の長片２０ｂにも水平方向に長い一対の長孔２５が透設され、ボルト２６を該長孔２５に挿通し、さらに構造躯体側金具１２の前記長孔１４に挿通しワッシャー２７を介しナット２８で締付けるようになっている。この場合も、構造躯体側金具１２の前面の長孔１４は垂直方向に延び、上部中間支持材２０の長片２０ｂの長孔２５は水平方向に延びているため、上下左右の位置調整を行い、締付けることができる。
【００２１】
図１及び図３に示すように、前記パネル下部支持材１７の側部片１７ｂには上下一対の円孔２９が透設されている。前記構造躯体側金具１２とパネル下部支持材１７との間には、断面Ｌ字状をなす下部中間支持材３０が配置されている。この下部中間支持材３０は、水平片３０ａとその一側縁から上方へ垂直に立ち上がる垂直片３０ｂとより構成されている。該垂直片３０ｂには上下一対の円孔３１が透設され、ボルト３２をそれら円孔３１及びパネル下部支持材１７の側部片１７ｂの円孔２９に挿通しワッシャー３３を介しナット３４で締付けるようになっている。
【００２２】
下部中間支持材３０の水平片３０ａには、緩着用ボルト３５の軸部３５ａが挿通される挿通孔３６が穿設されている。そして、係る挿通孔３６に上方から緩着用ボルト３５が挿通され、その緩着用ボルト３５の軸部３５ａに緩着用ナット３７が螺合され、さらに緩着用ボルト３５の軸部３５ａが四角板状のプレート材３８に透設された貫通孔３９を通り、前記構造躯体側金具１２のルーズ孔１３に挿入されるようになっている。すなわち、ロックウールパネル１８の下部における外壁パネル側金具１５が構造躯体側金具１２に対して緩着されている。ここで、緩着とは外壁パネル側金具１５が構造躯体側金具１２に対して緩く取付けられ、相対移動可能であることを意味する。ルーズ孔１３の直径は緩着用ボルト３５の軸部３５ａの直径より所定量だけ大きく設定され、緩着用ボルト３５の軸部３５ａが所定範囲内で動くことができるように構成されている。例えば、緩着用ボルト３５の軸部３５ａの直径が２２ｍｍ及びルーズ孔１３の直径が３５ｍｍに設定される。この場合、ルーズ孔１３の直径は、２０〜７０ｍｍの範囲に設定されることが好ましい。
【００２３】
Ｈ型鋼１１が地震などにより応力を受けて動いたとき、緩着用ボルト３５の軸部３５ａがルーズ孔１３の大きさの範囲で動く。このとき、プレート材３８の下面が構造躯体側金具１２の上面に摺動するため、プレート材３８の下面又は構造躯体側金具１２の上面にシート状の滑り材を設けたり、滑り材を塗布形成したりすることが望ましい。図２に示すように、緩着用ナット３７は緩着用ボルト３５の軸部３５ａの所定位置で溶接され、構造躯体側金具１２と下部中間支持材３０との間隔、すなわち上部位置のロックウールパネル１８と下部位置のロックウールパネル１８との間隔を一定に保持するように構成されている。なお、上部位置のロックウールパネル１８と下部位置のロックウールパネル１８とをＨ型鋼１１に支持した状態で、両ロックウールパネル１８間の隙間（目地）は封止材４０によって封止されると共に、水切板４１が目地に沿って延びるように取着されている。
【００２４】
次に、本実施形態のロックウールパネル１８の支持構造の形成方法について順に説明する。上部中間支持材２０の長孔２１とパネル上部支持材１６の長孔１９にボルト２２を挿通しワッシャー２３を介しナット２４で締付けることにより、上部中間支持材２０をパネル上部支持材１６に取付ける。このとき、上部中間支持材２０の長孔２１は水平方向に延び、パネル上部支持材１６の長孔１９は垂直方向に延びているため、上部中間支持材２０がパネル上部支持材１６に上下左右へ位置調節をして取付けられる。続いて、下部中間支持材３０の垂直片３０ｂの円孔３１とパネル下部支持材１７の側部片１７ｂの円孔２９にボルト３２を挿通しワッシャー３３を介してナット３４で締付けることにより、下部中間支持材３０がパネル下部支持材１７に取付けられる。
【００２５】
次いで、上部中間支持材２０が取付けられたパネル上部支持材１６がロックウールパネル１８の上部裏面の左右２箇所にリベットにより固定されると共に、下部中間支持材３０が取付けられたパネル下部支持材１７がロックウールパネル１８の下部裏面の左右２箇所にリベットで固定される。その後、ロックウールパネル１８をクレーンなどで吊下した状態で、上部中間支持材２０の長孔２５及び構造躯体側金具１２の長孔１４にボルト２６を挿通してナット２８で締付けることにより、ロックウールパネル１８の上部がＨ型鋼１１に固着される。このとき、上部中間支持材２０の長孔２５は水平方向に延び、構造躯体側金具１２の長孔１４は垂直方向に延びているため、上部中間支持材２０が構造躯体側金具１２に上下左右へ位置調節をして取付けられる。
【００２６】
次に、下部中間支持材３０の挿通孔３６に上方から緩着用ボルト３５の軸部３５ａを挿通し、挿通された軸部３５ａに緩着用ナット３７を所定位置まで螺合し、さらに軸部３５ａがプレート材３８の貫通孔３９に挿通され、構造躯体側金具１２のルーズ孔１３に挿入される。このとき、緩着用ボルト３５の頭部３５ｂが下部中間支持材３０の水平片３０ａの上面に溶接されて移動不能に固定されると共に、緩着用ナット３７が緩着用ボルト３５の軸部３５ａに溶接されて所定位置に位置決め固定される。このようにして、ロックウールパネル１８の下部における外壁パネル側金具１５が構造躯体側金具１２に対して緩着される。
【００２７】
上記の実施形態によって発揮される作用及び効果を以下にまとめて記載する。
【００２８】
・  この実施形態のロックウールパネル１８の支持構造では、ロックウールパネル１８の上部が外壁パネル側金具１５と構造躯体側金具１２を介してＨ型鋼１１に固着されると共に、ロックウールパネル１８の下部における外壁パネル側金具１５が構造躯体側金具１２に対して緩着されている。つまり、ロックウールパネル１８はその上部でＨ型鋼１１に固定され、その下部で緩く取着されている。このため、Ｈ型鋼１１に地震等により応力が加わったとき、その応力によりロックウールパネル１８の下部がＨ型鋼１１に対して相対移動し、応力がロックウールパネル１８の下部に作用することが回避される。加えて、ロックウールパネル１８の下部における外壁パネル側金具１５が構造躯体側金具１２に対して緩着されているため、外壁パネル側金具１５を構造躯体側金具１２に固定する作業が不要となる。従って、本実施形態のロックウールパネル１８の支持構造では、耐震性に優れると共に、Ｈ型鋼１１に対するロックウールパネル１８の取付けを容易に行うことができる。
【００２９】
・  外壁パネルとしてロックウールパネル１８を使用することにより、十分な軽量化を図ることができると共に、耐震性及び作業性（施工性）を格段に向上させることができる。
【００３０】
・  外壁パネル側金具１５としての下部中間支持材３０には緩着用ボルト３５の軸部３５ａが挿通される挿通孔３６が形成されると共に、構造躯体側金具１２には緩着用ボルト３５の軸部３５ａが遊嵌されるルーズ孔１３が形成されている。そして、緩着用ボルト３５が下部中間支持材３０の挿通孔３６から構造躯体側金具１２のルーズ孔１３に挿通されて緩着されるように構成されている。このため、ロックウールパネル１８の支持構造を簡易にできると共に、ロックウールパネル１８の取付作業を容易に行うことができる。
【００３１】
・  ロックウールパネル１８の上部は、構造躯体側金具１２に設けられる長孔１４と外壁パネル側金具１５を構成する上部中間支持材２０に設けられた長孔２５とを利用してボルト２６及びナット２８で位置調節可能に形成されている。さらに、上部中間支持材２０に設けられる長孔２１と外壁パネル側金具１５を構成するパネル上部支持材１６に設けられた長孔１９とを利用してボルト２２及びナット２４で位置調節可能に形成されている。そして、外壁パネル側金具１５がＨ型鋼１１に締付けられて固着される。従って、ロックウールパネル１８の上部をＨ型鋼１１に対して左右方向及び前後方向における所定位置に配置した状態で、容易に固着することができる。
【００３２】
・  構造躯体側金具１２には複数のルーズ孔１３が設けられ、隣接するロックウールパネル１８の下部における各外壁パネル側金具１５が構造躯体側金具１２に対して緩着されるように構成されている。このように、１つの構造躯体側金具１２に隣接する複数のロックウールパネル１８を取付けることができ、構成を簡易にできると共に、Ｈ型鋼１１に対するロックウールパネル１８の取付作業を速やかに行うことができる。
【００３３】
なお、前記各実施形態を次のように変更して具体化することも可能である。
【００３４】
・  外壁パネルとして、ロックウールパネル１８に代えて、金属板の間にカーボン繊維等の無機質繊維が充填されたパネルを使用することもできる。
【００３５】
・  前記上部中間支持材２０をパネル上部支持材１６と一体的に構成し、外壁パネル側金具１５を形成することも可能である。すなわち、パネル上部支持材１６を断面コの字状に形成することも可能である。
【００３６】
・  前記下部中間支持材３０をパネル下部支持材１７と一体的に構成し、外壁パネル側金具１５を形成することも可能である。すなわち、パネル下部支持材１７を断面コの字状に形成することも可能である。
【００３７】
・  前記ロックウールパネル１８の上部及び下部の支持をそれぞれ３箇所以上にすることも可能である。
【００３８】
・  前記緩着用ボルト３５に代えて、緩着用のピン等を用いることもできる。
【００３９】
・  前記下部中間支持材３０の水平片３０ａの上面に対する緩着用ボルト３５の頭部３５ｂの溶接を省略したり、緩着用ボルト３５の軸部３５ａに対する緩着用ナット３７の溶接を省略することもできる。
【００４０】
次に、前記実施形態より把握できる技術的思想について以下に記載する。
【００４１】
・  前記外壁パネル側金具は、外壁パネルを支持するパネル支持材及び該パネル支持材と構造躯体側金具との間に介装される中間支持材により構成されていることを特徴とする請求項１から請求項５のいずれか一項に記載の外壁パネルの支持構造。このように構成した場合、請求項１から請求項５のいずれかに係る発明の効果に加えて、外壁パネル側金具の製作を容易にできると共に、外壁パネルの位置調整の容易化を図ることができる。
【００４２】
・  前記緩着用ボルトの軸部にはナットが螺合され、該ナットの螺合位置によって構造躯体側金具と外壁パネル側金具との間隔を一定に保持するように構成されていることを特徴とする請求項３から請求項５のいずれか一項に記載の外壁パネルの支持構造。このように構成した場合、請求項３から請求項５のいずれかに係る発明の効果に加えて、外壁パネルの上下位置を所定位置に設定することができ、隣接する上下の外壁パネル間の隙間を一定幅に設定することができる。
【図面の簡単な説明】
【００４３】
【図１】実施形態における外壁パネルの支持構造を示す分解斜視図。
【図２】外壁パネルの支持構造を示す縦断面図。
【図３】図２の３−３線における断面図。
【図４】図２の４−４線における断面図。
【符号の説明】
【００４４】
１１…構造躯体としてのＨ型鋼、１２…構造躯体側金具、１３…ルーズ孔、１５…外壁パネル側金具、１８…外壁パネルとしてのロックウールパネル、３５…緩着用ボルト、３５ａ…軸部、３６…挿通孔、１４、１９、２１、２５…長孔、２２、２６…ボルト、２４、２８…ナット。
【図１】
2008266892.tif 000003
【図２】
2008266892.tif 000004
【図３】
2008266892.tif 000005
【図４】
2008266892.tif 000006